(57)【要約】【課題】容器を破断させる必要がなく、かつ，組み立てが容易なハンガー機能を有する包装箱を提供すること。【解決手段】正面板11は背面板12より長く形成され先端縁は横方向の折り曲げ線a を介して差し込み片16が連設され、差し込み片は背面板に設けられた切り込みb に差し込み可能に設けられ、差し込み片の内側には吊り下げ片挿入窓c が穿設され、背面板の先端縁には折り曲げ線d を介して吊り下げ窓を通過可能な吊り下げ片17が背面板から突出して形成され、側面板13, 14の上方は、正面板寄りの略中央部分の端縁から背面板の上端縁に向けて設けられた斜め折り曲げ線f により舌片18,19 が区画形成された構成からなり、舌片を山折りして差し込み片を切り込みに差し込み固定したとき、吊り下げ片が外側に折り曲げられて正面板の先端近傍に押さえ込まれるように格納されている。【選択図】図３
2006036273.tif 000002
【特許請求の範囲】
【請求項１】
正面板、背面板、右側面板、左側面板とから形成される六面体形状の容器であって、
前記正面板は背面板より長く形成され、その先端縁は横方向の折り曲げ線を介して差し込み片が連設され、
該差し込み片は、前記背面板に設けられた切り込みに差し込み可能に設けられ、差し込み片の内側には吊り下げ片挿入窓が穿設され、
前記背面板の先端縁には折り曲げ線を介して吊り下げ窓を通過可能な吊り下げ片が背面板から突出して形成され、前記吊り下げ片には吊り下げ孔が穿設され、
前記左右の側面板の上方は、正面板寄りの略中央部分の端縁から背面板の上端縁に向けて設けられた斜め折り曲げ線により舌片が区画形成された構成からなり、
左右の側面板に区画形成された舌片を山折りして、正面板の先端の差し込み片を背面板の切り込みに差し込み固定したとき、背面板の先端縁に形成された吊り下げ片が外側に折り曲げられて正面板の先端近傍に押さえ込まれるように格納されていることを特徴とする、ハンガー機能を有する包装箱。
【請求項２】
前記正面板の上方に設けられる横方向の折り曲げ線は、前記正面板寄りの略中央部分の端縁から斜め折り曲げ線の長さだけ差し込み片寄りに隔てた位置に形成されていることを特徴とする、請求項１記載のハンガー機能を有する包装箱。
【請求項３】
前記吊り下げ片挿入窓は、正面板に設けられた横方向の折り曲げ線と部分的に重ねて穿設されていることを特徴とする、請求項１又は２記載のハンガー機能を有する包装箱。
【請求項４】
前記包装箱が透明なプラスチックシートから形成されていることを特徴とする，請求項１、２又は３記載のハンガー機能を有する包装箱。
【請求項５】
前記包装箱の底面が、オートマティックロックボトム式に形成されていることを特徴とする、請求項１、２、３又は４記載のハンガー機能を有する包装箱。
【請求項６】
前記包装箱の底面と正面板、および底面と背面板とを連設している折り曲げ線の一部が切れ目線で形成されていることを特徴とする、請求項１、２、３、４又は５記載のハンガー機能を有する包装箱。
【発明の詳細な説明】
【技術分野】
【０００１】
本発明は、ハンガー機能を有する包装箱に関するものであり、特には、ハンガーが収納可能に形成されたハンガー機能を有する包装箱に関する。
【背景技術】
【０００２】
従来、ハンガー機能を有する包装箱は、吊り下げ陳列をしようとする際には、容器に一体化された吊り下げ部位を破断してかき起こすなどの作業を必要としていた（例えば、特許文献１参照）。
【０００３】
上記先行技術文献を示す。  
【特許文献１】特開２００３−１２８０５０号公報。
【０００４】
しかし、この方式は、容器に一体化された吊り下げ部位を破断してかき起こすという面倒な作業を必要とするのみならず、また、一度包装箱を破断すると元には戻せないという問題もある。
【発明の開示】
【発明が解決しようとする課題】
【０００５】
本発明は、ハンガー機能を有する包装箱に関する以上のような問題に鑑みてなされたもので、容器を破断させる必要がなく、かつ、組み立てが容易なハンガー機能を有する包装箱を提供することを課題とする。
【課題を解決するための手段】
【０００６】
本発明の請求項１の発明は、正面板、背面板、右側面板、左側面板とから形成される六面体形状の容器であって、前記正面板は背面板より長く形成され、その先端縁は横方向の折り曲げ線を介して差し込み片が連設され、該差し込み片は、前記背面板に設けられ切り込みに差し込み可能に設けられ、差し込み片の内側には吊り下げ片挿入窓が穿設され、前記背面板の先端縁には折り曲げ線を介して吊り下げ窓を通過可能な吊り下げ片が背面板から突出して形成され、前記吊り下げ片には吊り下げ孔が穿設され、前記左右の側面板の上方は、正面板よりの略中央部分の端縁から背面板の上端縁に向けて設けられた斜め折り曲げ線により舌片が区画形成された構成からなり、左右の側面板に区画形成された舌片を山折りして，正面板の先端の差し込み片を背面板の切り込みに差し込み固定したとき、背面板の先端縁に形成された吊り下げ片が外側に折り曲げられて正面板の先端近傍に押さえ込まれるように格納されていることを特徴とする、ハンガー機能を有する包装箱である。
【０００７】
このように請求項１記載の発明によれば、正面板は背面板より長く形成され、その先端縁は横方向の折り曲げ線を介して差し込み片が連設され、該差し込み片は、前記背面板に設けられ切り込みに差し込み可能に設けられ、差し込み片の内側には吊り下げ片挿入窓が穿設され、前記背面板の先端縁には折り曲げ線を介して吊り下げ窓を通過可能な吊り下げ片が背面板から突出して形成され、前記吊り下げ片には吊り下げ孔が穿設され、前記左右の側面板の上方は、正面板よりの略中央部分の端縁から背面板の上端縁に向けて設けられた斜め折り曲げ線により舌片が区画形成された構成からなり、左右の側面板に区画形成された舌片を山折りして、正面板の先端の差し込み片を背面板の切り込みに差し込み固定したとき、背面板の先端縁に形成された吊り下げ片が外側に折り曲げられて正面板の先端近傍に押さえ込まれるように格納されているので、吊り下げ片が包装箱とは別体に形成されており、包装箱を破断することなく吊り下げ片挿入窓から吊り下げ片を包装箱の外に開放
させることができる。
吊り下げ片が包装箱から突出していないので、輸送時や保管時に余分なスペースを必要としない。
【０００８】
また、請求項２の発明は、請求項１の発明において、前記正面板の上方に設けられる横方向の折り曲げ線は、前記正面板寄りの略中央部分の端縁から斜め折り曲げ線の長さだけ差し込み片寄りに隔てた位置に形成されていることを特徴とする、ハンガー機能を有する包装箱である。
【０００９】
このように請求項２記載の発明によれば、正面板の上方に設けられる横方向の折り曲げ線は、前記正面板寄りの略中央部分の端縁から斜め折り曲げ線の長さだけ差し込み片寄りに隔てた位置に形成されているので、包装箱に組み立てた際、上方の正面板は側面板の斜め折り曲げ線に沿って密着した状態で差し込み片を切り込みに差し込むことができる。
【００１０】
また、請求項３の発明は、請求項１又は２の発明において、前記吊り下げ片挿入窓は、正面板に設けられた横方向の折り曲げ線と部分的に重ねて穿設されていることを特徴とする、ハンガー機能を有する包装箱である。
【００１１】
このように請求項３記載の発明によれば、吊り下げ片挿入窓が、正面板に設けられた横方向の折り曲げ線と部分的に重ねて穿設されているので、吊り下げ片挿入窓を形成させた差し込み片が吊り下げ片を押さえ込むように重なり、吊り下げ片を吊り下げ片挿入窓から容易に開放することができる。
【００１２】
また、請求項４の発明は、請求項１、２又は３の発明において、前記包装箱が透明なプラスチックシートから形成されていることを特徴とする、ハンガー機能を有する包装箱である。
【００１３】
このように請求項４記載の発明によれば、包装箱が透明なプラスチックシートから形成されているので、包装箱を開けることなく収納物を外から視認することができる。
【００１４】
また、請求項５の発明は、請求項１、２、３又は４の発明において、前記包装箱の底面がオートマティックボトム式に形成されていることを特徴とする、ハンガー機能を有する包装箱である。
【００１５】
このように請求項５記載の発明によれば、包装箱の底面がオートマティックボトム式に形成されているので、側面板を起こすだけで容易に包装箱に組み立てることができる。
【００１６】
また、請求項６の発明は、請求項１、２、３、４又は５の発明において、前記包装箱の底面と正面板、および底面と背面板とを連設している折り曲げ線の一部が切れ目線で形成されていることを特徴とする、ハンガー機能を有する包装箱である。
【００１７】
このように請求項６記載の発明によれば、包装箱の底面と正面板、および底面と背面板とを連設している折り曲げ線の一部が切れ目線で形成されているので、より簡単に包装箱を組み立てることができる。
【発明の効果】
【００１８】
このように本発明のハンガー機能を有する包装箱は、吊り下げ部位が包装箱一体型ではないので、包装箱を破ったりせずに吊り下げ部位を外部に開放することが可能になる。また、天面と底面が同一面積の四角形の容器にも応用できる。
【発明を実施するための最良の形態】
【００１９】
本発明の実施形態を図面に基づいて以下に詳細に説明する。
【００２０】
本発明のハンガー機能を有する包装箱は、例えば、図１、図２に示すように、正面板（１１）、背面板（１２）、右側面板（１３）、左側面板（１４）とから形成される六面体形状の容器である。
【００２１】
図２に示す、包装箱の展開図を説明する。
【００２２】
右側面板（１３）、正面板（１１）、左側面板（１４）、背面板（１２）、糊代片（１５）が折り曲げ線を介して順次連設されている。
【００２３】
正面板（１１）は背面板（１２）より長く形成されており、その先端縁には横方向の折り曲げ線（ａ）を介して差し込み片（１６）が連設されている。
【００２４】
差し込み片（１６）は、背面板（１２）に設けられた切り込み（ｂ）に差し込み可能に設けられている。そして、差し込み片の内側には吊り下げ片挿入窓（ｃ）が穿設されている。
【００２５】
背面板（１２）の先端縁には折り曲げ線（ｄ）を介して吊り下げ窓（ｃ）が通過可能な吊り下げ片（１７）が背面板（１２）から突出して形成されている。吊り下げ片（１７）には吊り下げ孔（ｅ）が穿設されている。
【００２６】
左右の側面板（１３，１４）の上方は、正面板寄りの略中央部分の端縁（Ｌ）から背面板（１２）の上端縁（Ｍ）に向けて設けられた斜め折り曲げ線（ｆ）により舌片（１８，１９）が区画形成されている。
【００２７】
なお、正面板（１１）の上方に設けられる横方向の折り曲げ線（ａ）は、正面板寄りの略中央部分の端縁（Ｌ）から左右の側面板（１３，１４）に設けられた斜め折り曲げ線（ｆ）の距離（ＬＭ）だけ差し込み片（１６）寄りに隔てた位置に形成させることが好ましい。
【００２８】
そのようにすることにより、包装箱に組み立てた際、横方向の折り曲げ線（ａ）と折り曲げ線（ｄ）とは重なり、差し込み片（１６）を折り曲げた時、吊り下げ片（１７）も同時に重ねた状態で折り曲げることができる。
【００２９】
また、吊り下げ片挿入窓（ｃ）は、正面板（１１）に設けられた横方向の折り曲げ線（ａ）に部分的に重ねて穿設することにより、包装箱に組み立てた際、差し込み片（１６）に格納された吊り下げ片（１７）を吊り下げ片挿入窓（ｃ）を介して容易に開放させることができる。
【００３０】
正面板（１１）と背面板（１２）の下端縁には、折り曲げ線（ｇ）を介して底板片（１１１，１２１）が連設されている。
正面板（１１）に連設されている底板片（１１１）の右側面板（１３）寄りは、谷折り線（ｈ）を介して底接着片（１１２）となっている。また、背面板（１２）に連設している底板片（１２１）の左側面板（１４）寄りは、谷折り線（ｈ）を介して底接着片（１２２）となっている。谷折り線（ｈ）の一部を図示してあるように切れ目線とすることもできる。
【００３１】
このような展開図を箱状に折り曲げ等することにより包装箱に組み立てる。
包装箱のブランク（１０）は、紙やプラスチックシートを型で打ち抜くことにより得られる。透明な、例えば、ポリエチレンテレフタレートのようなプラスチックシートを用いて作製した包装箱は包装箱を開封することなく内容物を視認することができ有利である。
【００３２】
包装箱に組み立てる手順について詳述する。先ず、折り曲げ線に沿って右側面板（１３）、正面板（１１）、左側面板（１４）、背面板（１２）を順次折り曲げ糊代片（１５）を右側面板（１３）に貼り付け、スリーブ状に形成する。
【００３３】
糊代片（１５）は右側面板（１３）の表面に貼り付けても良いし、右側面板（１３）の裏面に貼り付けても良い。一般的には紙のような不透明素材を用いた場合には右側面板（１３）の裏面に貼り付けることが好ましく、プラスチックシートのような透明素材を用いた場合には右側面板（１３）の表面に貼り付けることが好ましい。
【００３４】
同時に、底接着片（１１２）と底舌片（１３１）、底接着片（１２２）と底舌片（１４１）とを接着させ、底部を形成させる。谷折り線（ｈ，ｈ）により平坦に折り畳み可能であり、ワンタッチで箱形状に組み立てることができる。
【００３５】
舌片（１８，１９）を斜め折り曲げ線（ｆ，ｆ）に沿って折り曲げ、正面板（１１）を舌片（１８，１９）に接触させるように曲げ、正面板（１１）に連設される差し込み片（１６）を横方向の折り曲げ線（ａ）に沿って折り曲げ、同時に吊り下げ片（１７）を外側に折り曲げ、吊り下げ片（１７）を差し込み片（１６）に重ねて、差し込み片（１６）を背面板（１２）の切り込み（ｂ）に差し込み係止させる。なお、底部を形成させた段階で、内容物を包装箱に収容する。
【００３６】
吊り下げ片挿入窓（ｃ）は、吊り下げ片（１７）が通過可能に形成されているので、内容物の収容された包装箱を陳列する際には、吊り下げ片（１７）を吊り下げ片挿入窓（ｃ）から外に出し包装箱から突出させ、吊り下げ展示作業を容易に、かつ、迅速に行うことができる。
【図面の簡単な説明】
【００３７】
【図１】本発明のハンガー機能を有する包装箱のブランクの一実施例を示す、展開説明図である。
【図２】図１のブランクを組み立てた状態を示す、斜視説明図である（天部は開放状態）。
【図３】差し込み片を切り込みに差し込んだ状態を示す、斜視説明図である。
【図４】吊り下げ片を包装箱から開放させた状態を示す、斜視説明図である。
【符号の説明】
【００３８】
１‥‥包装箱
１０‥‥ブランク
１１‥‥正面板
１２‥‥背面板
１３‥‥右側面板
１４‥‥左側面板
１５‥‥糊代片
１６‥‥差し込み片
１７‥‥吊り下げ片
１８‥‥舌片
１９‥‥舌片
１１１‥‥底板片
１１２‥‥底接着片
１２１‥‥底板片
１２２‥‥底接着片
１３１‥‥底舌片
１４１‥‥底舌片
ａ‥‥横方向の折り曲げ線
ｂ‥‥切り込み
ｃ‥‥吊り下げ片挿入窓
ｄ‥‥折り曲げ線
ｅ‥‥吊り下げ孔
ｆ‥‥斜め折り曲げ線
ｇ‥‥折り曲げ線
ｈ‥‥谷折り線
【図１】
2006036273.tif 000003
【図２】
2006036273.tif 000004
【図３】
2006036273.tif 000005
【図４】
2006036273.tif 000006